(57)【要約】【課題】飼い主がリードを保持し続けなくてもテーブルの脇に良好にペットを止めておくことができるテーブルシステムを提供する。【解決手段】テーブルシステム１１は、床面ＦＬから離れて水平に広がる天板１２を有するテーブル１３と、天板１２の下面１２ｂに取り付けられて、一部にゲート２７を有する環状体２８に形成され、ゲート２７を開閉するゲート部材３４を含むフック２５とを備える。【選択図】図２
2020081738.tif 000002
【特許請求の範囲】
【請求項１】
床面から離れて水平に広がる天板を有するテーブルと、
前記天板の下面に取り付けられて、一部にゲートを有する環状体に形成され、前記ゲートを開閉するゲート部材を含むフックと
を備えることを特徴とするテーブルシステム。
【請求項２】
請求項１に記載のテーブルシステムにおいて、前記フックから離れた位置で前記天板の下面に取り付けられる第２フックをさらに備えることを特徴とするテーブルシステム。
【請求項３】
床面に水平に広がる天板を有するテーブルと、
前記天板の下面に取り付けられて、一部にゲートを有する環状体に形成され、前記ゲートを開閉するゲート部材を含む第１フックと、
前記第１フックから離れた位置で前記天板の下面に取り付けられる第２フックと
を備え、
前記第１フックおよび前記第２フックのうち少なくともいずれか一方は、前記テーブルの縁に向き合う座席に着座するひとの膝よりも中央側に配置される
ことを特徴とするテーブルシステム。
【発明の詳細な説明】
【技術分野】
【０００１】
本発明は、床面に水平に広がる天板を有するテーブルと、天板の下面に取り付けられるフックとを備えるテーブルシステムに関する。
【背景技術】
【０００２】
特許文献１は、テーブルの下面に取り付けられた単純なフックを開示する。フックには利用者の荷物が提げられる。荷物には重力が作用することから、荷物の持ち手はフックに良好に留まることができる。
【先行技術文献】
【特許文献】
【０００３】
【特許文献１】特開平９−１００４０号公報
【特許文献２】特開２０１７−１５３８４３号公報
【発明の概要】
【発明が解決しようとする課題】
【０００４】
例えば店内でひとの食事とペットの食事とを提供する飲食店は提案される。飼い主は、ペットと同じテーブルで食事できることを喜ぶ。食事するからには、飼い主はテーブルの脇に犬を止めておきたい。こうした場合には、飼い主は、犬の首輪にリードを繋ぎ、手にリードを持ち続ける必要がある。これでは、飼い主は十分に食事を楽しむことができないもしれない。特許文献１に記載のフックにリードが引っ掛けられても、犬は動き回ることができるので、リードに揺れが生じ、リードはフックから外れるおそれが大きい。
【０００５】
本発明は、飼い主がリードを保持し続けなくてもテーブルの脇に良好にペットを止めておくことができるテーブルシステムを提供することを目的とする。
【課題を解決するための手段】
【０００６】
本発明の第１側面によれば、床面から離れて水平に広がる天板を有するテーブルと、天板の下面に取り付けられて、一部にゲートを有する環状体に形成され、ゲートを開閉するゲート部材を含むフックとを備えるテーブルシステムは提供される。
【０００７】
こうしたテーブルシステムは、例えば店内でひとの食事とペットの食事とを提供する飲食店で利用されることができる。飼い主は、ペットの首輪にリードを繋ぎ、フックにリードを接続することができる。接続にあたってゲートからリードの持ち手は環状体の内側に進入することができる。ゲートがゲート部材で閉じられると、環状体からリードの抜け落ちは防止されることができる。ペットが動き回ってリードに揺れが生じても、リードはフックに保持され続ける。ペットはテーブルに繋ぎ止められることができる。飼い主はペットのそばで良好に食事を楽しむことができる。
【０００８】
テーブルシステムは、フックから離れた位置で天板の下面に取り付けられる第２フックをさらに備えてもよい。リードは第２フックに巻き付けられることができる。こうしてテーブルからペットまでリードの長さは調整されることができる。ペットの移動範囲は限定されることができる。
【０００９】
本発明の第２側面によれば、床面に水平に広がる天板を有するテーブルと、天板の下面に取り付けられて、一部にゲートを有する環状体に形成され、ゲートを開閉するゲート部材を含む第１フックと、第１フックから離れた位置で天板の下面に取り付けられる第２フックとを備え、第１フックおよび第２フックのうち少なくともいずれか一方は、テーブルの縁に向き合う座席に着座するひとの膝よりも中央側に配置されるテーブルシステムは提供される。
【００１０】
こうしたテーブルシステムは、例えば店内でひとの食事とペットの食事とを提供する飲食店で利用されることができる。飼い主は、ペットの首輪にリードを繋ぎ、第１フックにリードを接続することができる。接続にあたってゲートからリードの持ち手は環状体の内側に進入することができる。ゲートがゲート部材で閉じられると、環状体からリードの抜け落ちは防止されることができる。ペットが動き回ってリードに揺れが生じても、リードはフックに保持され続ける。ペットはテーブルに繋ぎ止められることができる。飼い主はペットのそばで良好に食事を楽しむことができる。
【００１１】
しかも、リードが第２フックに巻き付けられると、テーブルからペットまでリードの長さは調整されることができる。着座するひとの膝よりも中央側に位置する第１フックまたは第２フックからリードがテーブルの外側に引き出されると、ペットが動き回っても、その第１フックまたは第２フックを支点にリードは振れる。ペットがテーブルの脇で動き回ってもリードとひととの干渉はできる限り回避されることができる。ひとは良好に食事を楽しむことができる。
【発明の効果】
【００１２】
飼い主がリードを保持し続けなくてもテーブルの脇に良好にペットを止めておくことができるテーブルシステムは提供される。
【図面の簡単な説明】
【００１３】
【図１】本考案の一実施形態に係るテーブルシステムの構成を概略的に示す斜視図である。
【図２】天板の下面から観察される第１フックおよび第２フックの拡大斜視図である。
【図３】第１フックの構造を概略的に示す一部破断拡大平面図である。
【図４】第１フックおよび第２フックの配置（レイアウト）を示すテーブルシステムの平面図である。
【図５】第１フックの位置と腕の姿勢との関係を示す概念図である。
【図６】１具体例に従って第１フックおよび第２フックに巻き付けられるリードを示す概念図である。
【図７】他の具体例に従って第１フックおよび第２フックに巻き付けられるリードを示す概念図である。
【図８】ベンチシートに組み合わせられるテーブルシステムの構成を概略的に示す斜視図である。
【図９】第１フックおよび第２フックの配置（レイアウト）を示すテーブルシステムの平面図である。
【発明を実施するための形態】
【００１４】
以下、添付図面を参照しつつ本発明の一実施形態を説明する。
【００１５】
図１は本発明の一実施形態に係るテーブルシステム１１の構成を概略的に示す。テーブルシステム１１は、床面ＦＬから規定の高さに天板１２を配置するテーブル１３を備える。天板１２は、矩形の輪郭線で区画されそれぞれ水平面内で広がる上面１２ａおよび下面１２ｂを有する。上面１２ａおよび下面１２ｂは床面ＦＬから規定の高さに配置される。上面１２ａの周縁には、垂直平面内で広がる４つの側面１２ｃが接続される。上面１２ａと側面１２ｃとの間に輪郭線の辺ごとに線形の稜線は規定される。天板１２の板厚に応じて側面１２ｃの高さは決定される。
【００１６】
テーブル１３は、床上の決められた高さに天板１２を支持する脚１４を備える。脚１４は、相互に平行に延びる１対の縁１５ａ、１５ｂから等距離の二等分線（対称線）１６を含む垂直面に沿って配置される。とはいえ、脚１４は、天板１２の輪郭線の四隅にそれぞれ個別に配置されてもよい。
【００１７】
テーブル１３にはチェア２１が組み合わせられる。チェア２１は、二等分線１６を含む垂直面に平行な線形の縁１５ａ、１５ｂに沿って配置される。チェア２１は、天板１２の高さよりも低い位置で水平面に沿って広がって、使用者の臀部を支持する座面２１ａと、座面２１ａの後縁から立ち上がって使用者の背中を支持する背もたれ２１ｂとを備える。背もたれ２１ｂはテーブル１３の縁１５ａ、１５ｂに向き合う。ここでは、１つの線形の縁１５ａ、１５ｂごとに２つのチェア２１が向き合わせられる。
【００１８】
テーブル１３には犬ＤＧが繋がれる。犬ＤＧには首輪２２が装着される。首輪２２にはリード２３の一端が連結される。リード２３の他端はテーブル１３の天板１２に連結される。
【００１９】
図２に示されるように、テーブルシステム１１は、テーブル１３の天板１２の下面１２ｂに取り付けられる第１フック２５および第２フック２６を備える。第１フック２５は、一部にゲート２７を有する環状体２８に形成される。第１フック２５は、環状体２８に結合されて、テーブル１３の天板１２に固定される固定片２９を備える。固定片２９は例えば垂直軸線に軸心を有するねじ３１で天板１２の下面１２ｂにねじ止めされればよい。
【００２０】
環状体２８は、ゲート２７の下端から空間３２を囲みながらゲート２７の上端まで延びる本体３３と、ゲート２７の上端で本体３３に連結されるゲート部材３４とを備える。本体３３は、例えば金属製の長尺材が折り曲げられて形作られる。本体３３には、ゲート２７の下端に下方から接する水平面ＨＲよりも下方に膨らむ係り体３３ａが含まれる。
【００２１】
ゲート部材３４は、ゲート２７の上端で本体３３に嵌め込まれる連結軸３５で本体３３に連結される。ゲート部材３４は連結軸３５回りで揺動する。連結軸３５の軸心は例えば水平方向に延びる。揺動に応じてゲート部材３４はゲート２７を開閉する。リード２３の持ち手はゲート２７から環状体２８内に進入して保持される。持ち手（輪）と環状体（輪）２８とは鎖状に連結される。
【００２２】
ゲート部材３４の下端には、連結軸３５から遠ざかるにつれて環状体２８の内方に変位する傾斜面３６が形成される。したがって、ゲート部材３４は、閉じ位置から連結軸３５回りで環状体２８の内方に向かって変位するものの、連結軸３５回りで閉じ位置から環状体２８の外方に向かって変位することはできない。
【００２３】
第２フック２６は、第１フック２５から離れた位置に配置される。第２フック２６は、テーブル１３の天板１２に固定される固定片３７と、固定片３７から下方に延びる線形の棒体３８と、棒体３８の下端で相互に反対向きに水平方向に延びる水平体３９とを備える。水平体３９は棒状であってもよく板状であってもよい。棒体３８と水平体３９とは金属材料から一体に形成されることができる。水平体３９は、棒体３８に巻き付けられるリード２３の落下を防止する大きさに形成される。
【００２４】
図３に示されるように、ゲート部材３４には、連結軸３５に近い一端で開口する収容空間４１が区画される。収容空間４１には弦巻ばね４２が収容される。弦巻ばね４２には、収容空間４１の開口４１ａから外側に延びるリンク部材４３が連結される。リンク部材４３の先端は連結軸３５から内方に（空間３２側に）ずれた位置で本体３３に支持される。本体３３には、ゲート２７の上端で連結軸３５から内方に（空間３２側に）ずれた位置に、リンク部材４３の先端を受け入れる溝４４が形成される。ゲート部材３４が連結軸３５回りで揺動して空間３２内に進入すると、リンク部材４３は弦巻ばね４２を収縮させる。弦巻ばね４２は閉じ位置に向かってゲート部材３４を駆動する弾性力を発揮する。こうして弦巻ばね４２の働きでゲート部材３４は閉じ位置に保持されることができる。
【００２５】
図４に示されるように、第１フック２５および第２フック２６は、テーブル１３の縁１５ａ、１５ｂに向き合うチェア２１に着座するひとＨＢの膝４６よりも中央側（二等分線１６側）に配置される。すなわち、第１フック２５および第２フック２６は、二等分線１６を含む垂直面に平行であって膝４６に接する垂直面４８で挟まれる空間内に位置する。膝４６の位置は、例えば日本人男子の平均身長を有するひとの膝に基づき設定されることができる。位置の決定にあたって、テーブル１３の縁１５ａ、１５ｂとひとの腹４７との水平距離Ｓは例えば握り拳２つ分（例えば２０ｃｍ）に設定されることができる。ここでは、縁１５ａ、１５ｂ以外の線形の縁１５ｄ、１５ｄに沿って犬ＤＧの寛ぎ空間４９は規定されることができる。飼い主は寛ぎ空間４９に犬ＤＧを居させることを好む。
【００２６】
加えて、第１フック２５および第２フック２６は、チェア２１に向き合う縁１５ａ、１５ｂから、ひとＨＢの肘窩から親指の付け根までの長さで規定される範囲５１内に配置される。このとき、肘窩から親指の付け根までの長さは例えば日本人女子の平均身長を有するひとの腕に基づき設定されることができる。図５に示されるように、こうした範囲内に第１フック２５および第２フック２６が配置されると、飼い主は、テーブル１３の側面１２ｃに二の腕５２を押し当てるまで、着座姿勢を変化させることなくて無理なく天板１２の下に肘から先を進入させることができる。その一方で、第１フック２５および第２フック２６が縁１５ａ、１５ｂからの範囲５１を超えて中央側（二等分線１６側）に位置すると、肘窩５３が天板１２の下に潜り込まなければならず、飼い主は着座姿勢を崩して肩を下げなければならない。
【００２７】
次に、店内で飼い主が犬ＤＧとともに食事する場面を想定する。飼い主は、犬ＤＧの首輪２２にリード２３を繋ぎ、第１フック２５にリード２３を接続する。接続にあたって飼い主は指またはリード２３の持ち手でゲート部材３４を押し開ける。ゲート部材３４は弦巻ばね４２の弾性力に抗して空間３２内に変位する。ゲート２７からリード２３の持ち手は環状体２８の内側に進入することができる。ゲート部材３４が指またはリード２３の拘束力から解放されると、弦巻ばね４２の働きでゲート部材３４はゲート２７を閉じる。環状体２８からリード２３の抜け落ちは防止される。こうして犬ＤＧはテーブル１３に繋ぎ止められる。
【００２８】
前述のように、第１フック２５の環状体２８は、ゲート２７の下端に下方から接する水平面ＨＲよりも下方に膨らむ係り体３３ａを含む。したがって、リード２３はゲート部材３４の開閉時にゲート部材３４の軌道よりも下方に保持されることができる。開閉にあたってゲート部材３４はリード２３との干渉を回避することができる。
【００２９】
犬ＤＧは寛ぎ空間４９で寝そべって寛ぐことができる。犬ＤＧが動き回ってリード２３に揺れが生じても、リード２３は第１フック２５に保持され続ける。飼い主は犬ＤＧのそばで良好に食事を楽しむことができる。
【００３０】
図６に示されるように、リード２３が第２フック２６に巻き付けられると、テーブル１３から犬ＤＧまでリード２３の長さは調整されることができる。こうして犬ＤＧの移動範囲は限定されることができる。第２フック２６は水平体３９を備えることから、第２フック２６からリード２３の落下は防止されることができる。
【００３１】
前述のように、第１フック２５および第２フック２６は、チェア２１に着座するひとＨＢの膝４６よりも中央側に位置する。したがって、第１フック２５または第２フック２６からリード２３がテーブル１３の外側に引き出されると、犬ＤＧが動き回っても、その第１フック２５または第２フック２６を支点にリード２３は振れる。犬ＤＧがテーブル１３の脇で動き回ってもリード２３とひとＨＢとの干渉はできる限り回避されることができる。ひとＨＢは良好に食事を楽しむことができる。このようにリード２３とひとＨＢとの干渉の回避に鑑みて、膝４６の位置は１８０ｃｍの身長を有するひとＨＢの膝に基づき設定されてもよい。できるだけ高い身長を有するひとＨＢに合わせることで、できるだけリード２３とひとＨＢとの干渉は回避されることができる。
【００３２】
前述のように、第１フック２５および第２フック２６は、チェア２１に向き合う縁１５ａ、１５ｂから、ひとＨＢの肘窩５３から親指の付け根までの長さで規定される範囲５１内に配置される。こうした範囲５１内に第１フック２５および第２フック２６が配置されると、飼い主は、天板１２の側面に二の腕５２を押し当てるまで、着座姿勢を変化させることなくて無理なく天板１２の下に肘から先を進入させることができる。飼い主は、着座中であっても楽に第１フック２５または第２フック２６から延びるリード２３を操作することができる。このように着座中のリード２３の操作に鑑みて、肘窩５３から親指の付け根までの長さは１５０ｃｍの身長を有するひとＨＢの腕に基づき設定されてもよい。できるだけ低い身長を有するひとＨＢに合わせることで、できるだけ多くの飼い主が着座中でも無理なくリード２３の操作を実現することができる。
【００３３】
飼い主は、しばしば、第１フック２５および第２フック２６にリード２３を接続する際に、天板１２の陰になって手探りでリード２３を操作しなければならない。飼い主の視界は天板１２で遮られる。したがって、一般には、フックの取り付け位置は天板１２の縁１５ａ、１５ｂに近く設定される。ペットのリード２３の繋ぎ止めでなければ、フックが膝４６に接する垂直面４８よりも中央側に配置されることはないと考えられる。
【００３４】
リード２３は、図６に示されるように、第２フック２６に巻き付けられた後、再び第１フック２５に引っかけられてからテーブル１３の外側に引き出されてもよく、図７に示されるように、第２フック２６に複数回にわたって巻き付けられてからそのままテーブル１３の外側に引き出されてもよい。
【００３５】
図８に示されるように、テーブルシステム１１には、前述のチェア２１に代えてベンチシート５４が組み合わせられてもよい。ベンチシート５４は、二等分線１６を含む垂直面に平行な線形の縁１５ａ、１５ｂに沿って配置される。ベンチシート５４は、天板１２の高さよりも低い位置で水平面に沿って広がって、使用者の臀部を支持する座面５４ａと、座面５４ａの後縁から立ち上がって使用者の背中を支持する背もたれ５４ｂとを備える。背もたれ５４ｂはテーブル１３の縁１５ａ、１５ｂに向き合う。ここでは、１つの線形の縁１５ａ、１５ｂごとに１つのベンチシート５４が向き合わせられる。
【００３６】
図９に示されるように、ベンチシート５４の座面５４ａ上には犬ＤＧの寛ぎ空間５５が規定されることができる。飼い主は寛ぎ空間５５に犬ＤＧを居させることを好む。飼い主は第１フック２５にリード２３を接続する。このとき、リード３４が第２フック２６に巻き付けられて天板１２の外側に引き出されると、飼い主とリード２３との干渉は回避されることができる。
【符号の説明】
【００３７】
１１…テーブルシステム、１２…天板、１２ｂ…下面、１３…テーブル、１５ａ…縁、１５ｂ…縁、２１…座席（チェア）、２５…フック（第１フック）、２６…第２フック、２７…ゲート、２８…環状体、３４…ゲート部材、４６…膝、５４…座席（ベンチシート）、ＦＬ…床面、ＨＢ…ひと。
【図１】
2020081738.tif 000003
【図２】
2020081738.tif 000004
【図３】
2020081738.tif 000005
【図４】
2020081738.tif 000006
【図５】
2020081738.tif 000007
【図６】
2020081738.tif 000008
【図７】
2020081738.tif 000009
【図８】
2020081738.tif 000010
【図９】
2020081738.tif 000011